(57)【特許請求の範囲】
【請求項１】
上部に気体空間を有して充填液を貯溜する貯溜タンクと、充填液が供給される液通路と当該液通路を開閉する弁体を有し容器に充填液を充填する充填バルブと、該充填バルブに設けられた気体通路と、貯溜タンク内の気体空間と気体通路とを接続する接続通路と、接続通路に設けられ当該接続通路を開閉する気体バルブと、液通路と気体通路とを容器に連通させた状態で容器を密封するシール手段と、密封された容器内部と外部とを連通する排気通路と、該排気通路を開閉する排気バルブと、容器の充填量を検出する充填量検出手段とを備え、容器を密封してから液通路を開放して充填を開始し、充填量検出手段からの信号により容器内の充填液の充填量が所定量となったら液通路を閉鎖して充填を終了する充填装置であって、上記貯溜タンクを加圧した状態で充填するガス詰め充填と、上記貯溜タンクを大気に連通させ、該貯溜タンクを大気と同圧とした状態で充填するノンガス充填とに切換え可能な充填装置において、
密封された容器に圧力気体を供給する圧力気体通路と、該圧力気体通路を開閉する圧力気体バルブと、圧力気体を供給する圧力気体供給源と、ガス詰め充填時に圧力気体供給源に接続されて第１レギュレータで設定された圧力の圧力気体を圧力気体通路に供給する第１給気通路と、ノンガス充填時に圧力気体供給源に接続されて第２レギュレータで設定された圧力の圧力気体を圧力気体通路に供給する第２給気通路とを設け、ガス詰め充填とノンガス充填とのいずれにおいても容器を密封してから液通路を開放して充填を開始するまでの間に、上記接続通路と圧力気体通路とを共に開放して上記圧力気体を容器に供給するようにしたことを特徴とする充填装置。
【請求項２】
上記第１給気通路は上記貯溜タンクに連通されており、ガス詰め充填時には、上記第１レギュレータで設定された圧力の圧力気体が貯溜タンクに供給されることを特徴とする請求項１に記載の充填装置。
【請求項３】
上記ノンガス充填時には、液通路の閉鎖後に、接続通路と排気通路とを共に開放することを特徴とする請求項１又は請求項２に記載の充填装置。
【請求項４】
上部に大気に開放された空間を有して充填液を貯溜する貯溜タンクと、液通路と気体通路を有し容器に充填液を充填する充填バルブと、気体通路に接続された接続通路と、容器を密封するシール手段と、密封された容器内部と外部とを連通させる排気通路と、容器の充填量を検出する充填量検出手段とを備え、密封した容器に所定量の充填液を充填する充填装置の充填方法において、
密封された容器に圧力気体を供給する圧力気体通路と、圧力気体通路に圧力気体を供給する圧力気体供給源とを設け、
シール手段により容器を密封してから、圧力気体通路からの圧力流体を容器内に供給し、容器を介して気体通路および接続通路に圧力気体を流通させて、これら通路の内面に付着した水滴を排出させ、その後、充填バルブを開放して充填を開始し、気体通路を介して容器内の気体を排気しつつ充填を継続させ、充填量検出手段からの信号により容器の充填量が所定量となったら、充填バルブを閉鎖して充填を終了するようにし、
さらに充填が終了したら、気体通路および接続通路を大気に連通させるとともに、密封された容器内部を排気通路により外部と連通させて、充填中に気体通路内に入り込んだ充填液を容器内へと落下させることを特徴とする充填方法。
【発明の詳細な説明】
【０００１】
【発明の属する技術分野】
本発明は炭酸飲料等の充填液を容器に充填するガス詰め充填装置に関し、より詳しくは無炭酸飲料等の充填液を充填するノンガス充填への兼用も可能とした充填装置とその充填方法に関する。
【０００２】
【従来の技術】
従来より、炭酸飲料等の充填液を充填するガス詰め充填装置としては、加圧された炭酸ガスとともに充填液を貯溜タンクに収容し、容器を密封した状態で充填バルブに備えた気体通路を介して貯溜タンク内の炭酸ガスを容器内に供給して加圧し、同圧となったら充填バルブを開いて充填を開始し、充填量が所定量となったら充填を終了して、容器内の圧力を逃してから密封を解除するものが知られている。またこのようなガス詰め充填装置を用い、貯溜タンクを大気に連通させて無炭酸飲料を充填するノンガス充填を行うことが、特開平１１−３４２９９４号公報で開示されている。
【０００３】
【発明が解決しようとする課題】
上記のようなガス詰め充填装置をノンガス充填に用いる場合の問題として次の点が挙げられる。先ず、ノンガス充填では充填液を加熱殺菌し高温の状態で充填することがある。ガス詰め充填装置では容器は密封されるので、充填中は容器内の空気を充填バルブに設けた気体通路を介して排気しつつ充填しなければならない。しかしながら、高温の充填装置から出る湯気が気体通路内に入り冷やされて結露してしまうので、通路径が狭まり排気効率が悪くなって充填時間が延びる。また、ガス詰め充填では容器内が加圧されるので若干容器が膨らみ、充填終了時の液面高さは加圧されていないときよりも低くなる。これに対し、ノンガス充填では容器内を加圧しないため、ガス詰め充填と同量の充填を行うと容器に差し入れられた気体通路の先端に充填液が達して気体通路内に入り込んでしまうので、次の容器の充填までにこれを取り除かなければならない。
これらの問題に対し、前記特開平１１-３４２９９４号公報では、補助気体室を設けて、ノンガス充填の場合には容器への充填の前に補助気体室から気体通路へ微圧のガスを送り、これによって気体通路内に残る泡状の液体を容器内に落とすようにしている。これによれば上記いずれの問題も解決することができる。しかしながら、補助気体室の構成はノンガス充填でしか用いることがなくガス詰め充填では不必要な構成である。また、気体通路内に充填液が入り込んでない場合には問題とならないが、容器への充填量によって気体通路に充填液が入り込む場合には、本来ならば前回の充填時に充填されるべき充填液の一部を次の充填時に繰り越して落下させているので、充填量が不正確になるといった欠点がある。
【０００４】
【課題を解決するための手段】
すなわち、請求項１の発明は、上部に気体空間を有して充填液を貯溜する貯溜タンクと、充填液が供給される液通路と当該液通路を開閉する弁体を有し容器に充填液を充填する充填バルブと、該充填バルブに設けられた気体通路と、貯溜タンク内の気体空間と気体通路とを接続する接続通路と、接続通路に設けられ当該接続通路を開閉する気体バルブと、液通路と気体通路とを容器に連通させた状態で容器を密封するシール手段と、密封された容器内部と外部とを連通する排気通路と、該排気通路を開閉する排気バルブと、容器の充填量を検出する充填量検出手段とを備え、容器を密封してから液通路を開放して充填を開始し、充填量検出手段からの信号により容器内の充填液の充填量が所定量となったら液通路を閉鎖して充填を終了する充填装置であって、上記貯溜タンクを加圧した状態で充填するガス詰め充填と、上記貯溜タンクを大気に連通させ、該貯溜タンクを大気と同圧とした状態で充填するノンガス充填とに切換え可能な充填装置において、
密封された容器に圧力気体を供給する圧力気体通路と、該圧力気体通路を開閉する圧力気体バルブと、圧力気体を供給する圧力気体供給源と、ガス詰め充填時に圧力気体供給源に接続されて第１レギュレータで設定された圧力の圧力気体を圧力気体通路に供給する第１給気通路と、ノンガス充填時に圧力気体供給源に接続されて第２レギュレータで設定された圧力の圧力気体を圧力気体通路に供給する第２給気通路とを設け、ガス詰め充填とノンガス充填とのいずれにおいても容器を密封してから液通路を開放して充填を開始するまでの間に、上記接続通路と圧力気体通路とを共に開放して上記圧力気体を容器に供給するようにしたことを特徴とするものである。
【０００６】
また、請求項４の発明は、上部に大気に開放された空間を有して充填液を貯溜する貯溜タンクと、液通路と気体通路を有し容器に充填液を充填する充填バルブと、気体通路に接続された接続通路と、容器を密封するシール手段と、密封された容器内部と外部とを連通させる排気通路と、容器の充填量を検出する充填量検出手段とを備え、密封した容器に所定量の充填液を充填する充填装置の充填方法において、
密封された容器に圧力気体を供給する圧力気体通路と、圧力気体通路に圧力気体を供給する圧力気体供給源とを設け、
シール手段により容器を密封してから、圧力気体通路からの圧力流体を容器内に供給し、容器を介して気体通路および接続通路に圧力気体を流通させて、これら通路の内面に付着した水滴を排出させ、その後、充填バルブを開放して充填を開始し、気体通路を介して容器内の気体を排気しつつ充填を継続させ、充填量検出手段からの信号により容器の充填量が所定量となったら、充填バルブを閉鎖して充填を終了するようにし、
さらに充填が終了したら、気体通路および接続通路を大気に連通させるとともに、密封された容器内部を排気通路により外部と連通させて、充填中に気体通路内に入り込んだ充填液を容器内へと落下させることを特徴とするものである。
【０００７】
上述した請求項１の構成によれば、ガス詰め充填の場合に、貯溜タンクに接続された気体通路と圧力気体供給源に接続された圧力気体通路とを共に開放させることより、双方の通路から供給される気体で容器内を加圧することができるので、貯溜タンクに接続された気体通路から供給される気体だけで加圧していた従来に比較して容器内の加圧時間を短縮することができるし、また、貯溜タンク内の気体の濃度の低下を抑えることができる。
また、ノンガス充填の場合には、圧力気体供給源に接続された圧力気体通路により容器内に気体が供給され、この気体が気体通路を流通するので、ガス詰め充填時には不必要な補助気体室の構成を用いること無しに気体通路内に結露した水滴を取り除くことができる。
【０００９】
さらに、請求項４の充填方法によれば、ノンガス充填の場合には、圧力気体供給源に接続された圧力気体通路により容器内に気体が供給され、この気体が気体通路を流通するので、ガス詰め充填時には不必要な補助気体室の構成を用いること無しに気体通路内に結露した水滴を取り除くことができる。また、充填工程の後で、充填中に気体通路内に入り込んだ充填液を充填されるべき容器内へと落下させて戻しているので、従来に比較して充填精度を向上させることができる。
【００１０】
【発明の実施の形態】
以下図示実施例について本発明を説明すると、図１において、１は本発明を適用した回転式充填装置であって、該回転式充填装置１は図示しない駆動手段により回転される回転体２（一部分のみ図示）を備えており、この回転体２の上部に充填液を貯溜するリング状の貯溜タンク３１を設け、それよりも下方の円周方向等間隔位置に充填液を充填するための充填バルブ３と、各充填バルブ３の下方位置で容器４を載置するための載置台５が設けられている。
上記貯溜タンク３１は、上部に気体空間３１ａを有した状態で下部に充填液３１ｂを貯溜している。また、上記各充填バルブ３は、上部板６に下方を向けて取付けられ、他方、載置台５は図示しない下部板に設けた昇降機構としてのシリンダ機構のピストンロット７（ピストンロッドのみ図示）に取付けられており、この昇降機構により昇降されるようになっている。
なお、昇降機構はシリンダ機構に限定されるものではなく、カム機構を用いてもよい。
【００１１】
上記各充填バルブ３は、図２に示すように、上部板６に連結した概略筒状のハウジング１０と、このハウジング１０の段付孔１０Ａ内に昇降自在に設けられ、後に詳述するシリンダ機構１１により昇降される中空の弁ロッド１２と、この弁ロッド１２の外周とハウジング１０の内周との間に形成された液通路１３と、この弁ロッド１２の中空部分であって気体通路１４を構成する貫通孔１２ａとを備えている。そして、上記ハウジング１０の段付孔１０Ａの段部を弁座１５とするとともに、上記弁ロッド１２の先端を拡径しリング状のシール部材を取付けて弁体１６とし、該弁体１６を上記弁座１５に接離させることにより、液通路１３を開閉することができるようにしている。また、弁体１６のさらに先端にパイプ１２ｂを取付け気体通路１４を延長させている。
【００１２】
上記シリンダ機構１１は、ハウジング１０の上端に連結された概略筒状のシリンダハウジング２０と、このシリンダハウジング２０の内部に形成した段付孔２０Ａと、この段付孔２０Ａ内の上方の大径部２０ａと下方の小径部２０ｂ内に気密を保持して摺動自在に嵌合された概略筒状のピストン２１とを備えている。このピストン２１は、上記弁ロッド１２の小径部１２ｃに貫通されるとともに、小径部１２ｃの先端に取付けた継ぎ手１９と小径部１２ｃの下端に連設した大径部１２ｄとで挟持されて弁ロッド１２と一体に構成されている。
また、上記ピストン２１の小径部２１ａの上端は、シリンダハウジング２０の上端を封鎖するカバー２２を摺動自在に貫通させて上方に突出させてあり、このカバー２２の内周面に設けたシール部材１８で該カバー２２とピストン２１の小径部２１ａとをシールしている。
そして、上記シール部材１８と、上記ピストン２１の大径部２１ｂの外周に設けられて、該ピストン２１とシリンダハウジング２０の大径部２０ａとをシールするシール部材２３と、上記カバー２２の外周面に設けられて、該カバー２２とシリンダハウジング２０とをシールするシール部材２４とで、これらシール部材１８、２３、２４の間に密閉した空間を形成し、この空間を第１圧力室２５とするとともに、該第１圧力室２５を図示しない切換バルブを介して圧力流体源に連通させている。
また、上記シール部材２３と、上記シリンダハウジング２０の小径部２０ｂに設けられて、該小径部２０ｂとピストン２１の中径部２１ｃとをシールするシール部材２６とで、シール部材２３とシール部材２６との間に密閉された空間を形成し、この空間を第２圧力室２７とするとともに、該第２圧力室２７を図示しない切換バルブを開して上記圧力流体源に連通させている。
これにより、上方の第１圧力室２５を圧力流体源に連通させ、下方の第２圧力室２７を大気に連通させた場合には、ピストン２１および弁ロッド１２は下降するので、弁体１６が弁座１５に着座して液通路１３を閉鎖するようになる。
他方、上方の第１圧力室２５を大気に連通させ、下方の第２圧力室２７を圧力流体源に連通させた場合には、ピストン２１および弁ロッド１２は上昇するので、弁体１６が弁座１５から離座して液通路１３を開放するようになる。
なお、上記両切換バルブは後に詳述する制御装置２８により切換制御されるようになっている。
【００１３】
さらに、図２で示すようにハウジング１０の下端には、容器４の口部を案内するガイドコーン４５が設けられており、このガイドコーン４５の内周側となるハウジング１０の下端部には液通路１３を取り囲んでシール部材４６が設けられている。
これにより、載置台５を上昇させて容器４をシール部材４６に密接させることにより、液通路１３と気体通路１４とを容器４内に連通させた状態で容器４の口部を密封することができる。これらによってシール手段が構成されている。
【００１４】
上記ハウジング１０と弁ロッド１２との間に形成した液通路１３は、ハウジング１０に接続した給液管３０を介して貯留タンク３１の底面に接続させてあり、この給液管３０によって液通路１３に充填液が供給されるようになっている。
また、上記弁ロッド１２とピストン２１との間にダイアフラム３２の内周部を液密を保持して挟持させるとともに、このダイアフラム３２の外周部をハウジング１０とシリンダハウジング２０との間で液密を保持して挟持させている。
そして、上記給液管３０には、充填液の流量を測定する充填量検出手段としての流量計３３が設けられており、この流量計３３で検出された検出値を上記制御装置２８に入力するようになっている。
なお、充填量検出手段は、上記流量計３３に限定されるものではなく、レベルセンサ等であってもよい。
【００１５】
上記継ぎ手１９には、弁ロッド１２の貫通孔１２ａに連通する同径の貫通孔１９ａが形成されるとともに、該継ぎ手１９の上端にはその一端が貯留タンク３１の気体空間３１ａに接続される気体チューブ３４の他端が接続されており、該気体チューブ３４と継ぎ手１９とで接続通路１４ａを構成している。
上記気体チューブ３４は、フレキシブルホースで構成されており、これにより昇降する弁ロッド１２に合わせて動くことができるようになっている。
図１に示すように、上記気体チューブ３４の途中には上記制御装置２８によって開閉制御される第１気体バルブ３５が設けられており、該第１気体バルブ３５を開放した際には気体通路１４を介して貯留タンク３１と容器４を連通するとともに、第１気体バルブ３５を閉鎖した際には該第１気体バルブ３５の位置で連通を遮断するようになっている。
また、上記第１気体バルブ３５の下流側には、貯溜タンク３１の底部に形成した排気マニホールド３１ｃと連通する分岐通路３６が接続されている。この分岐通路３６の途中には上記制御装置２８によって開閉制御される第２排気バルブ３７が設けられている。
さらに、上記ハウジング１０の下方位置には、弁座１５よりも下方で液通路１３に開口された連通路３８が形成され、この連通路３８は上部板６内に設けた連通管３９に接続されている。
図３に示すように、連通管３９にはマニホールド６６を介して圧力気体供給源４０に連通される圧力気体通路４１およびマニホールド６７を介して外部と連通される排気通路４３が接続されている。
上記圧力気体通路４１には上記制御装置２８によって開閉制御される圧力気体バルブ４２が設けられており、該圧力気体バルブ４２を開放した際には圧力気体通路４１を介して圧力気体供給源４０と容器４を連通するとともに、圧力気体バルブ４２を閉鎖した際には該圧力気体バルブ４２の位置で圧力気体供給源４０と容器４の連通を遮断するようになっている。
また、上記排気通路４３には、上記制御装置２８により開閉される排気バルブ４４が設けられており、該排気バルブ４４を開放した際には排気通路４３を介して容器４と外部を連通するとともにに、排気バルブ４４を閉鎖した際には該排気バルブ４３の位置で容器４内と外部の連通を遮断するようになっている。
【００１６】
図３に示すように貯溜タンク３１の上部には、圧力気体供給源４０に接続された第１給気通路５０と外部に連通させた第１外部通路６０とがロータリジョイント６１を介して接続される一方、給液通路６２がロータリジョイント６３を介して接続されている。
上記第１給気通路５０には、第１レギュレータ５３と、この第１レギュレータ５３よりも下流側に第１開閉バルブ５１が設けられ、また、この第１開閉バルブ５１よりも下流側に指示調節計５６により開弁量を調節される第１コントロールバルブ５７と、この第１コントロールバルブ５７よりも下流側に設けられて第１給気通路５０内の圧力を測定する圧力センサ５５が設けられている。また、第１外部通路６０には、上記指示調節計５６により開弁量を調整される第２コントロールバルブ５８が設けられている。
さらに、圧力気体通路４１が接続されるマニホールド６６と第１給気通路５０が、第１レギュレータ５３の上流側で第２給気通路６４によりロータリジョイント６３を介して接続され、排気通路４３が接続されるマニホールド６７が第２外部通路６５によりロータリジョイント６３を介して外部と連通されている。
また、第２給気通路６４には、第２レギュレータ５４と、この第２レギュレータ５４よりも下流側に第２開閉バルブ５２が設けられ、この第２開閉バルブ５２の下流側と第1給気通路５０の圧力センサ５５の下流側とが接続されその間に第３開閉バルブ５９が設けられている。
【００１７】
（ガス詰め充填時の動作説明）
炭酸ガス飲料等の充填液を充填するガス詰め充填時には、圧力気体供給源４０から炭酸ガスを供給するとともに、制御装置２８が第２気体バルブ５２を閉鎖し、第１気体バルブ５１と第３気体バルブ５９を開放して、加圧された炭酸ガスを貯溜タンク３１と圧力気体通路４１に供給する。また、圧力センサ５５の測定値に応じて指示調節計５６が第１コントロールバルブ５７と第２コントロールバルブ５８の開弁量を適宜調節することで貯溜タンク３１内を所定圧に維持するとともに、これと同圧の炭酸ガスを圧力気体通路４１に供給する。本実施例では、第１レギュレータ５３の設定値を０．５ＭＰａに設定し、指示調節計５６によって０．４ＭＰａに維持するようにしている。
しかして、上述した設定状態の充填装置１の載置台５上に供給スターホイールを介して容器４が順次供給されると、載置台５が昇降機構により上昇して容器４の口部内に弁ロッド１２の先端のパイプ１２ｂを挿入させるとともに、容器４の口部をシール部材４６に圧接させて当該容器４を密封する。
その後、制御装置２８はそれまで閉鎖していた第１気体バルブ３５と圧力気体バルブ４２とを共に開放させて、気体通路１４と圧力気体通路４１の双方の通路を介して容器４内に炭酸ガスを供給して貯溜タンク３１ａ内の気体圧力（０．４ＭＰａ）と同圧にする（加圧工程）。
そして、回転体２がさらに回転されて容器４が充填開始位置に達すると、制御装置２８は、圧力気体バルブ４２を閉鎖するとともに、シリンダ機構１１により弁体１６を上昇させ、液通路１３を開放して充填を開始する（充填工程）。この充填の間、容器４内の炭酸ガスは気体通路１４および接続通路１４ａを介して貯溜タンク３１の気体空間３１ａに排出される。また、この間制御装置２８は各流量計３３から入力される流量をそれぞれ連続して監視して所定の供給量に達したものについては、シリンダ機構１１を作動させて弁体１６を下降させる。
これにより、液通路１３が閉鎖されて充填は終了される。この際、充填液は弁ロッド１２の先端のパイプ１２ｂ、すなわち気体通路１４の開口部よりも下方で停止される。
そして、第１気体バルブ３５を閉鎖した後、制御装置２８は第２気体バルブ３７を先に開放させてから排気バルブ４４をこれよりも後に開放させて、気体通路１４および接続通路１４ａ内の圧力を分岐通路３６を介して排出させてから容器４内の圧力を排気通路４３を介して排出させる（スニフト工程）。
その後、載置台５が下降され排出位置において図示しない排出スターホイールを介して容器４が排出されるようになっている。
【００１８】
以上の説明より理解されるように、本実施例のガス詰め充填における加圧時には、気体通路１４と圧力気体通路４１とを介して双方から供給される炭酸ガスで容器４内を加圧しているので、充填バルブの気体通路を介して供給する炭酸ガスだけで容器内を加圧していた従来に比較して加圧に要する時間を短縮することができる。また、貯溜タンク３１内の炭酸ガスは、充填時排出される容器４内の空気により次第に濃度が低下していくが、圧力気体通路４１からは常に純度の高い炭酸ガスが供給されるので、濃度の低下のスピードが抑えられる。
【００１９】
（ノンガス充填の場合の動作説明）。
無炭酸飲料等の充填液を充填するノンガス充填時には、圧力気体供給源４０から空気を供給するとともに、制御装置２８が第１気体バルブ５１と第３気体バルブ５９を閉鎖し、第２気体バルブ５２を開放して、加圧された空気を圧力気体通路４１に供給する。本実施例では、第２レギュレータ５４の設定値を大気圧より若干高い０．１ＭＰａに設定している。なお、この時、貯溜タンク３１の気体空間３１ａは第１外部通路６０を介して大気に開放されている。
しかして、上述した設定状態の充填装置１の載置台５上に供給スターホイールを介して容器４が順次供給されると、載置台５が昇降機構により上昇して容器４の口部内に弁ロッド１２の先端のパイプ１２ｂを挿入させるとともに、容器４の口部をシール部材４６に圧接させて当該容器４を密封する。その後、制御装置２８はガス詰め充填時と同様にそれまで閉鎖していた第１気体バルブ３５と圧力気体バルブ４２とを共に開放させて、圧力気体供給源４０に連通する圧力気体通路４１を介して空気を容器４内に供給し、この容器４内に連通する気体通路１４および接続通路１４ａを介して該容器４内の空気を貯溜タンク３１に排出させる（フラッシング工程）。
これにより、気体通路１４を流通する空気によって、前回の充填中に充填液から出た湯気が気体通路１４内に入り込んで冷やされることによって結露した水滴を貯溜タンク３１内に排出させる。
そして、回転体２がさらに回転されて容器４が充填開始位置に達すると、制御装置２８は、圧力気体バルブ４２を閉鎖するとともに、シリンダ機構１１を作動させて弁体１６を上昇させ、液通路１３を開放して充填を開始する（充填工程）。この間、容器４内の空気は気体通路１４および接続通路１４ａを介して貯溜タンク３１の気体空間３１ａに排出される。また、この間制御装置２８は各流量計３３から入力される流量をそれぞれ連続して監視して所定の供給量に達したものについては、シリンダ機構１１を作動させて弁体１６を下降させる。
これにより、液通路１３が閉鎖されるので、充填は終了される。このとき、ノンガス充填においては、設定した充填量によっては気体通路１４内に計量済みの一部の充填液が入り込んでしまっている。
そのため、制御装置２８は第１気体バルブ３５を開放させたまま、排気バルブ４４を開放させて容器４内を排気通路４３を介して大気に連通させる（連通工程）。
これにより、気体通路１４内の充填液は容器４内に落下される。その後、載置台５が下降され、排出位置において図示しない排出スターホイールを介して容器４は排出されるようになっている。
【００２０】
以上の説明より理解されるように、圧力気体通路４１から容器４に若干加圧した空気を供給し、当該容器４内の空気を気体通路１４および接続通路１４ａを流通させてこれら通路１４、１４ａ内の水滴を貯溜タンク３１内に排出させているので、ガス詰め充填時と同一の構成でフラッシングを行うことができる。また、充填工程の後で、充填中に気体通路１４内に入り込んだ充填液を充填されるべき容器４内へと落下させて戻しているので、従来に比較して充填精度を向上させることができる。
【００２１】
【発明の効果】
以上のように、本発明によれば、ガス詰め充填時に、気体通路と圧力気体通路とを共に開放させ、双方の通路を介して供給する気体で容器内を加圧しているので、気体通路から供給する気体だけで加圧していた従来に比較して加圧時間を短縮することができる。
また、ノンガス充填の場合には、圧力気体供給源に接続された圧力気体通路により容器内に気体が供給され、この気体が気体通路を流通するので、ガス詰め充填時には不必要な補助気体室の構成を用いること無しに気体通路内に結露した水滴を取り除くことができるという効果が得られる。
【図面の簡単な説明】
【図１】本発明の一実施例を充填装置１の断面図。
【図２】充填バルブ３の拡大断面図。
【図３】充填装置１の系統図。
【符号の説明】
１…充填装置                    ３…充填バルブ
１３…液通路                    １４…気体通路
２８…制御装置                  ３１…貯溜タンク
３３…流量計                    ３５…第１気体バルブ
３７…圧力気体バルブ            ４１…圧力気体通路
４２…圧力気体バルブ            ４４…排気バルブ
【図１】
0004701542.tif 000002
【図２】
0004701542.tif 000003
【図３】
0004701542.tif 000004